(57)【要約】【課題】表示品質が低下することを抑えることが可能な電気光学装置、及び電子機器を提供する。【解決手段】液晶パネル１００と、液晶パネル１００を通る光の光学特性を補償する光学補償板２００と、光学補償板２００を保持する第２フレーム６２０と、光学補償板２００と第２フレーム６２０との間に備えられた位置調整部材６３０と、を備える。【選択図】図４
2015200689.tif 000002
【特許請求の範囲】
【請求項１】
電気光学パネルと、
光学補償板と、
前記光学補償板を保持する保持部材と、
前記光学補償板と前記保持部材との間に備えられた光学補償板位置調整部材と、
を備えることを特徴とする電気光学装置。
【請求項２】
請求項１に記載の電気光学装置であって、
前記光学補償板位置調整部材は、プランジャー又は圧電素子であることを特徴とする電気光学装置。
【請求項３】
請求項１又は請求項２に記載の電気光学装置であって、
前記電気光学パネルは、反射型であることを特徴とする電気光学装置。
【請求項４】
請求項１乃至請求項３のいずれか一項に記載の電気光学装置を備えていることを特徴とする電子機器。
【発明の詳細な説明】
【技術分野】
【０００１】
本発明は、電気光学装置、及び電子機器に関する。
【背景技術】
【０００２】
上記電気光学装置としての液晶装置は、例えば、液晶パネル等の電気光学パネルがフレームに収容されており、例えば、液晶プロジェクター等のライトバルブとして用いられる。例えば、特許文献１では、枠体の中に液晶パネルが収容されており、枠体の開口部を塞ぐようにパネルが取り付けられているフレーム構造が開示されている。
【０００３】
液晶パネルには、例えば、正確に変調できなかった位相変調量を微調整し、画像のコントラストを向上させるための、光学補償板が備えられている。光学補償板は、例えば、液晶パネルに貼り付けられていたり、フレームに固定されていたりする。
【先行技術文献】
【特許文献】
【０００４】
【特許文献１】特開２０１０−２４３５３０号公報
【発明の概要】
【発明が解決しようとする課題】
【０００５】
しかしながら、液晶パネルに対して光学補償板の位置がずれて貼り付けられたり、液晶プロジェクターの光源の熱によってフレームが加熱され、フレームに固定された光学補償板の位置が応力や歪みによって、液晶パネルに対してずれてしまったりする場合がある。これにより、高コントラストが得られないという課題がある。
【課題を解決するための手段】
【０００６】
本発明の態様は、上記課題の少なくとも一部を解決するためになされたものであり、以下の形態又は適用例として実現することが可能である。
【０００７】
［適用例１］本適用例に係る電気光学装置は、電気光学パネルと、光学補償板と、前記光学補償板を保持する保持部材と、前記光学補償板と前記保持部材との間に備えられた光学補償板位置調整部材と、を備えることを特徴とする。
【０００８】
本適用例によれば、光学補償板位置調整部材を調整することにより、電気光学パネルに対して光学補償板の位置を移動させることが可能となるので、例えば、電気光学パネルに対する光学補償板の位置がずれた場合でも、光学補償板の位置を変えることができる。これにより、電気光学パネルを通る光の位相を調整することができ、その結果、画像のコントラストを向上させることができる。
【０００９】
［適用例２］上記適用例に係る電気光学装置において、前記光学補償板位置調整部材は、プランジャー又は圧電素子であることが好ましい。
【００１０】
本適用例によれば、プランジャーや圧電素子を用いるので、比較的簡単な構造で、電気光学パネルに対する光学補償板の位置をずらすことができる。
【００１１】
［適用例３］上記適用例に係る電気光学装置において、前記電気光学パネルは、反射型であることが好ましい。
【００１２】
本適用例によれば、電気光学パネルに対して光学補償板の位置をずらすことが可能となるので、特に光の入射及び反射の両方が行われる反射型の電気光学装置の表示品質を顕著に向上させることができる。
【００１３】
［適用例４］本適用例に係る電子機器は、上記電気光学装置を備えていることを特徴とする。
【００１４】
本適用例によれば、上記電気光学装置を備えているので、高コントラストの表示が可能な電子機器を提供することができる。
【図面の簡単な説明】
【００１５】
【図１】液晶装置が備える液晶パネルの構成を示す模式平面図。
【図２】図１に示す液晶パネルのＨ−Ｈ’線に沿う模式断面図。
【図３】液晶パネルの電気的な構成を示す等価回路図。
【図４】液晶装置の全体構成を示す分解斜視図。
【図５】液晶装置の構成を対向基板（第２フレーム）側から見た模式平面図。
【図６】図５に示す液晶装置のＩ−Ｉ’線に沿う模式断面図。
【図７】プロジェクターを構成する液晶ライトバルブの周辺の構造を示す斜視図。
【図８】液晶ライトバルブを保持する三角柱ユニットの構造を示す模式断面図。
【図９】液晶装置を備えたプロジェクターの構成を示す概略図。
【発明を実施するための形態】
【００１６】
以下、本発明を具体化した実施形態について図面に従って説明する。なお、使用する図面は、説明する部分が認識可能な状態となるように、適宜拡大または縮小して表示している。
【００１７】
なお、以下の形態において、例えば「基板上に」と記載された場合、基板の上に接するように配置される場合、または基板の上に他の構成物を介して配置される場合、または基板の上に一部が接するように配置され、一部が他の構成物を介して配置される場合を表すものとする。
【００１８】
本実施形態では、電気光学装置が備える電気光学パネルとして、薄膜トランジスター（ＴＦＴ：Thin Film Transistor）を画素のスイッチング素子として備えたアクティブマトリックス型の液晶パネルを例に挙げて説明する。この液晶パネルを備えた液晶装置は、例えば、投射型表示装置（液晶プロジェクター）の光変調素子（液晶ライトバルブ）として好適に用いることができるものである。
【００１９】
＜電気光学装置としての液晶装置が備える液晶パネルの構成＞
図１は、液晶装置が備える液晶パネルの構成を示す模式平面図である。図２は、図１に示す液晶パネルのＨ−Ｈ’線に沿う模式断面図である。図３は、液晶パネルの電気的な構成を示す等価回路図である。以下、液晶パネルの構成を、図１〜図３を参照しながら説明する。
【００２０】
電気光学パネルとしての液晶パネル１００は、素子基板１０（第１基板）と対向基板２０（第２基板）とが対向配置されて構成されている。素子基板１０の基板本体は、例えば、単結晶シリコン基板又はガラス基板若しくは石英基板等の透明基板で構成されている。対向基板２０の基板本体は、例えば、ガラス基板、石英基板等の透明基板で構成されている。
【００２１】
素子基板１０と対向基板２０との間には、電気光学物質としての液晶層５０が封入されている。液晶層５０は、例えば、一種又は数種類のネマティック液晶を混合した液晶からなり、一対の配向膜間で所定の配向状態をとる。
【００２２】
素子基板１０と対向基板２０とは、複数の画素電極が設けられた画像表示領域１０ａの周囲に位置するシール領域に設けられたシール材５２により、相互に接着されている。
【００２３】
シール材５２は、両基板を貼り合わせるための、例えば、紫外線硬化樹脂、熱硬化樹脂等からなり、製造プロセスにおいて素子基板１０に塗布された後、紫外線照射、加熱等により硬化させられたものである。シール材５２の中には、素子基板１０と対向基板２０との間隔（即ち、基板間ギャップ）を所定値とするためのグラスファイバー或いはガラスビーズ等のギャップ材が散布されている。
【００２４】
なお、ギャップ材を、シール材５２に混入されるものに加えて若しくは代えて、画像表示領域１０ａ又は画像表示領域１０ａの周辺に位置する周辺領域に、配置するようにしてもよい。
【００２５】
シール材５２が配置されたシール領域の内側に並行して、画像表示領域１０ａの額縁領域を部分的に規定する遮光性の額縁遮光膜５３が、対向基板２０側に設けられている。
【００２６】
周辺領域のうち、シール材５２が配置されたシール領域の外側に位置する領域には、素子基板１０の一辺に沿って、データ線駆動回路１０１及び外部回路接続端子１０２が設けられている。走査線駆動回路１０４は、この一辺に隣接する２辺に沿い、且つ、額縁遮光膜５３に覆われるように設けられている。
【００２７】
更に、このように画像表示領域１０ａの両側に設けられた二つの走査線駆動回路１０４間を接続するために、素子基板１０の残る一辺に沿い、且つ、額縁遮光膜５３に覆われるようにして複数の配線１０５が設けられている。
【００２８】
素子基板１０における対向基板２０の４つのコーナー部に対向する領域には、両基板間を上下導通材で接続するための上下導通端子１０６が配置されている。これらにより、素子基板１０と対向基板２０との間で電気的な導通をとることができる。
【００２９】
図２に示すように、素子基板１０には、駆動素子である画素スイッチング用のＴＦＴや走査線、データ線等の配線が作り込まれた積層構造が形成されている。この積層構造の詳細な構成については図２では図示を省略してあるが、この積層構造の上に、反射電極となる反射型の画素電極９ａが設けられている。画素電極９ａは典型的にはアルミニウムなどの光反射性の高い材料により、画素毎に所定のパターンで島状に形成され、入射光を反射する。
【００３０】
画素電極９ａは、対向電極２１に対向するように、素子基板１０の画像表示領域１０ａに形成されている。素子基板１０における液晶層５０の面する側の表面、即ち画素電極９ａ上には、配向膜１６が画素電極９ａを覆うように形成されている。
【００３１】
対向基板２０における素子基板１０との対向面上には、ＩＴＯ等の透明材料からなる対向電極２１が複数の画素電極９ａと対向するように形成されている。また、画像表示領域１０ａにおいてカラー表示を行うために、開口領域及び非開口領域の一部を含む領域に、図２には図示しないカラーフィルターが形成されてもよい。
【００３２】
対向基板２０の素子基板１０に対する対向面上において、対向電極２１上には、配向膜２２が形成されている。なお、透過型の液晶装置と同様に、対向基板２０に格子状又はストライプ状に遮光膜を形成し、非開口領域を設けてもよい。
【００３３】
なお、図１及び図２に示した素子基板１０には、上述したデータ線駆動回路１０１、走査線駆動回路１０４等の駆動回路に加えて、画像信号線上の画像信号をサンプリングしてデータ線に供給するサンプリング回路、複数のデータ線に所定電圧レベルのプリチャージ信号を画像信号に先行して各々供給するプリチャージ回路、製造途中や出荷時の当該液晶パネル１００の品質、欠陥等を検査するための検査回路等を形成してもよい。
【００３４】
次に、液晶パネルの画素部の電気的な構成について、図３を参照して説明する。図３は、電気光学装置が備える液晶パネルの画像表示領域を構成するマトリックス状に形成された複数の画素における各種素子、配線等の等価回路図である。
【００３５】
図３において、画像表示領域１０ａを構成するマトリックス状に形成された複数の画素の各々には、画素電極９ａ及びＴＦＴ３０が形成されている。ＴＦＴ３０は、画素電極９ａに電気的に接続されており、液晶パネル１００の動作時に画素電極９ａをスイッチング制御する。
【００３６】
画像信号が供給されるデータ線６ａは、ＴＦＴ３０のソースに電気的に接続されている。データ線６ａに書き込む画像信号Ｓ１、Ｓ２、・・・、Ｓｎは、この順に線順次に供給しても構わないし、相隣接する複数のデータ線６ａ同士に対して、グループ毎に供給するようにしてもよい。
【００３７】
ＴＦＴ３０のゲートには、走査線３ａが電気的に接続されており、液晶パネル１００は、所定のタイミングで、走査線３ａにパルス的に走査信号Ｇ１、Ｇ２、・・・、Ｇｍを、この順に線順次で印加するように構成されている。
【００３８】
画素電極９ａは、ＴＦＴ３０のドレインに電気的に接続されており、スイッチング素子であるＴＦＴ３０を一定期間だけそのスイッチを閉じることにより、データ線６ａから供給される画像信号Ｓ１、Ｓ２、・・・、Ｓｎが所定のタイミングで書き込まれる。画素電極９ａを介して液晶に書き込まれた所定レベルの画像信号Ｓ１、Ｓ２、・・・、Ｓｎは、対向基板２０に形成された対向電極２１との間で一定期間保持される。
【００３９】
液晶層５０（図２参照）を構成する液晶は、印加される電圧レベルにより分子集合の配向や秩序が変化することにより、光を変調し、階調表示を可能とする。例えば、ノーマリーホワイトモードであれば、各画素の単位で印加された電圧に応じて入射光に対する透過率が減少し、ノーマリーブラックモードであれば、各画素の単位で印加された電圧に応じて入射光に対する透過率が増加され、全体として液晶パネル１００からは画像信号に応じたコントラストをもつ光が出射される。
【００４０】
ここで保持された画像信号がリークすることを防ぐために、画素電極９ａと対向電極２１（図２参照）との間に形成される液晶容量と並列に蓄積容量７０が付加されている。蓄積容量７０は、画像信号の供給に応じて各画素電極９ａの電位を一時的に保持する保持容量として機能する容量素子である。
【００４１】
蓄積容量７０の一方の電極は、画素電極９ａと並列してＴＦＴ３０のドレインに電気的に接続され、他方の電極は、定電位となるように、電位固定の容量線３００に電気的に接続されている。蓄積容量７０によれば、画素電極９ａにおける電位保持特性が向上し、コントラスト向上やフリッカーの低減といった表示特性の向上が可能となる。
【００４２】
＜電気光学装置としての液晶装置の構成＞
次に、電気光学装置としての液晶装置の全体構成について、図４〜図６を参照して説明する。図４は、液晶装置の全体構成を示す分解斜視図である。図５は、液晶装置の構成を示す模式平面図である。図６は、図５に示す液晶装置のＩ−Ｉ’線に沿う模式断面図である。なお、図４〜図６では、図１〜図３に示した液晶パネルにおける詳細な部材を適宜省略して図示している。
【００４３】
図４に示すように、液晶装置１は、液晶パネル１００と、液晶パネル１００を収容する第１フレーム６１０と、光学補償板２００と、光学補償板２００を保持する保持部材としての第２フレーム６２０と、を備えている。
【００４４】
本実施形態では、第２フレーム６２０の側から光が入射し、液晶パネル１００を反射して、再び第２フレーム６２０の側から出射するということを前提とする。
【００４５】
第１フレーム６１０内に収容される液晶パネル１００は、図１及び図２に示した液晶パネル１００に加えて、例えば、防塵用基板などが備えられており、更に素子基板１０の外部回路接続端子１０２（図１及び図２参照）にフレキシブル基板５００が接続されている。
【００４６】
第１フレーム６１０は、液晶パネル１００を収容する凹部を有する略矩形状の部材である。第１フレーム６１０には、平面視で略中央部分に開口部６１１が形成されている。また、第１フレーム６１０の略四隅部分には、ピン状部材３１０が嵌るピン孔６１２が形成されている。
【００４７】
第１フレーム６１０の凹部に液晶パネル１００を収容すると、開口部６１１を介して液晶パネル１００の略中央部分が外部に露出し、この部分が画像表示領域となる。
【００４８】
光学補償板２００は、例えば、水晶基板上に光学補償フィルムが貼り付けられて構成されている。なお、基板として水晶を用いたが、これに限定されず、透光性の石英ガラスや、サファイヤなど偏光特性のある透明基板を用いるようにしてもよい。
【００４９】
なお、光学補償板２００は、基板の一方の面に、Ｔａ2Ｏ5等の無機材料（屈折率異方性媒質）が斜方蒸着されて形成された、Ｏプレートであってもよい。光学補償板２００は、その微細構造に起因して位相差を生じさせる。
【００５０】
第２フレーム６２０には、液晶パネル１００と対向する面に、画像表示領域を囲うように開口孔６２１が形成されている。開口孔６２１は、上方から入射し、上方に反射する光の通過を可能とする部分である。
【００５１】
また、第２フレーム６２０には、光学補償板２００を載置すると共に保持するガイドプレート２１０を収容するためのガイド部６２２が形成されている。ガイドプレート２１０には、第２フレーム６２０に固定するためのトラック孔２１１が設けられている。ガイドプレート２１０は、ガイド部６２２に支持され、ネジ２２２を用いて第２フレーム６２０に固定される。
【００５２】
なお、第２フレーム６２０には、液晶パネル１００に対して光学補償板２００の位置を調整するための光学補償板位置調整部材としての位置調整部材６３０が設けられている。なお、位置調整部材６３０の詳細な説明は、後述する。
【００５３】
第２フレーム６２０の液晶パネル１００に対向する面の略四隅には、ピン状部材３１０が嵌るピン孔６２３が形成されている。第１フレーム６１０と第２フレーム６２０とは、ピン状部材３１０が互いに形成されたピン孔６１２，６２３に嵌ることにより、互いが固定される。これにより、液晶パネル１００は、第１フレーム６１０と第２フレーム６２０とによって閉じられた状態となる。
【００５４】
第１フレーム６１０及び第２フレーム６２０は、熱伝導性に優れた、例えば、金属等の材料を用いて構成されるのが好ましい。より具体的には、アルミニウム、マグネシウム、銅又はこれら各々の合金等を用いるようにするとよい。
【００５５】
後述する、液晶プロジェクター１５００内のランプユニット１１０１（図９参照）から発せられた光は、この開口孔６２１を通過して液晶パネル１００に入射可能となる。なお、フレーム６００（６１０，６２０）は、液晶パネル１００の周辺領域に当接している。これにより、液晶パネル１００からフレーム６００への熱の伝達が滞りなく行われるようになる。
【００５６】
＜位置調整部材、及びフレームの構成＞
次に、第２フレーム、及び位置調整部材の構成について、図５及び図６を参照しながら説明する。なお、図５及び図６では、図４に示した液晶装置の部材を適宜省略して図示している。
【００５７】
図５及び図６に示すように、液晶装置１は、液晶パネル１００と、フレキシブル基板５００と、第１フレーム６１０と、第２フレーム６２０と、光学補償板２００と、を備えている。第２フレーム６２０には、ガイドプレート２１０を介して光学補償板２００が収容されている。第２フレーム６２０は、本発明における、光学補償板２００を保持する保持部材である。
【００５８】
また、第２フレーム６２０には、液晶パネル１００に対して光学補償板２００の位置を調整するための位置調整部材６３０が配置されている。位置調整部材６３０は、例えば、プランジャーである。位置調整部材６３０は、例えば、円筒状の容器６３０ａの中にバネ６３０ｂとボール６３０ｃとが封入されている。
【００５９】
ボール６３０ｃは、容器６３０ａの一端側に先端が露出するように配置されている。つまり、ボール６３０ｃには常にバネ６３０ｂから一定の付勢力が加えられており、ボール６３０ｃを押圧することにより、ボール６３０ｃが容器６３０ａの中に入り、押圧をやめるとボール６３０ｃが容器６３０ａの一端側に再び露出する。
【００６０】
例えば、容器６３０ａの外周にネジ６３０ｄが形成されており、容器６３０ａ（位置調整部材６３０）を回転させることにより、位置調整部材６３０が第２フレーム６２０の内側に移動したり、第２フレーム６２０の外周に移動したりする。
【００６１】
位置調整部材６３０は、第２フレーム６２０の一辺に２つ、合計で８つ配置されている。液晶パネル１００を収容する第１フレーム６１０に、光学補償板２００がセットされた第２フレーム６２０を組み合わせた後、位置調整部材６３０を出し入れすることによって、光学補償板２００をＸ方向やＹ方向にずらすことができる。
【００６２】
このようにして、位置調整部材６３０を調整することにより、液晶パネル１００の表面に対して光学補償板２００の位置を水平方向に移動させることが可能となるので、例えば、液晶パネル１００に対する光学補償板２００の位置がずれた場合でも、光学補償板２００の位置を調整することができる。
【００６３】
液晶装置１に比較的強力な投射光が入射されると、フレーム６００の温度が上昇し、フレーム６００が膨張し応力が発生する。加えて、液晶装置１に投射光が入射されると、液晶パネル１００の温度が上昇する。
【００６４】
これにより、液晶パネル１００と光学補償板２００との位置関係がずれた場合でも、正規な位置関係に調整することができる。
【００６５】
なお、上記反射型の液晶パネル１００の場合、光の入射と反射とを繰り返すので、光学補償板２００による光の位相を調整することにより、特に黒色などのコントラストが変化するなど、表示品質が低下することを、より顕著に改善することができる。
【００６６】
＜液晶ライトバルブの構成＞
図７は、プロジェクターを構成する液晶ライトバルブの周辺の構造を示す斜視図である。図８は、液晶ライトバルブを保持する三角柱ユニットの構造を示す模式断面図である。以下、液晶ライトバルブの構成を、図７及び図８を参照しながら説明する。
【００６７】
本実施形態の場合、図７に示すように、赤色光用画像形成光学系、緑色光用画像形成光学系１２６０ａ、青色光用画像形成光学系はいずれもユニット化されており、同様の構成になっている。ユニット化された３つの画像形成光学系（１２６０ａ）は、クロスダイクロイックプリズム１２０６の３つの光入射面に接合されている。ここで、画像形成光学系を代表して、緑色光用画像形成光学系１２６０ａの構成について説明する。
【００６８】
図８に示すように、緑色光用画像形成光学系１２６０ａは、例えば、補助偏光板１２６４と、緑色光用液晶ライトバルブ１２６０と、補助偏光板１２６５と、を備えている。これら構成要素のうち、補助偏光板１２６４を除いて、ワイヤーグリッド偏光板１２６３、緑色光用液晶ライトバルブ１２６０、および補助偏光板１２６５は、略三角柱の形状を有する筐体１４００に固定されている。筐体１４００は、例えばアルミニウム等の熱伝導性の高い材料で構成されている。
【００６９】
筐体１４００の３つの側面１４００ａ，１４００ｂ，１４００ｃには、光を通過させる開口部１４００ａｔ，１４００ｂｔ，１４００ｃｔがそれぞれ設けられている。筐体１４００の３つの側面１４００ａ，１４００ｂ，１４００ｃのうち、互いに直角に接する２つの面を第１側面１４００ａ、第２側面１４００ｂとし、第１側面１４００ａおよび第２側面１４００ｂに対して４５°の角度で接する面を第３側面１４００ｃとする。
【００７０】
第１側面１４００ａの外面側には開口部１４００ａｔを塞ぐように液晶装置１が固定されている。第２側面１４００ｂの外面側には開口部１４００ｂｔを塞ぐように補助偏光板１２６５が固定されている。第３側面１４００ｃの外面側には開口部１４００ｃｔを塞ぐようにワイヤーグリッド偏光板１２６３が固定されている。このような構成により、筐体１４００の内部は密閉された空間となっている。
【００７１】
緑色光用画像形成光学系１２６０ａにおいて、光源光から分離された緑色光ＬＧは補助偏光板１２６４に入射する。補助偏光板１２６４は所定の方向に振動する直線偏光を透過するものであり、次に説明するワイヤーグリッド偏光板１２６３の偏光分離面に対するＰ偏光を透過するように透過軸が設定されている。
【００７２】
以下、ワイヤーグリッド偏光板１２６３の偏光分離面に対するＰ偏光を単にＰ偏光と称し、ワイヤーグリッド偏光板１２６３の偏光分離面に対するＳ偏光を単にＳ偏光と称する。上述したように、インテグレーター光学系１４１０（図９参照）を通った光源光は、偏光状態がＰ偏光に揃えられているため、緑色光ＬＧの略全てが補助偏光板１２６４を透過してワイヤーグリッド偏光板１２６３に入射する。
【００７３】
本実施形態のワイヤーグリッド偏光板１２６３は、例えばガラス基板とその上に形成された複数の金属線とにより構成されている（図示略）。複数の金属線は、全てが一方向に延在しており、互いに略平行に離間してガラス基板上に形成されている。
【００７４】
ワイヤーグリッド偏光板１２６３と液晶パネル１００との間の光路上に光学補償板２００が配置されている。ワイヤーグリッド偏光板１２６３を透過した緑色光ＬＧは、光学補償板２００、緑色光用液晶パネル１００の対向基板２０を順次透過し、液晶層５０に入射した後に素子基板１０で反射して折り返される。緑色光ＬＧは、液晶層５０を透過する間に変調されて変調光となり、対向基板２０、光学補償板２００を再度透過する。
【００７５】
＜電子機器の構成＞
図９は、上記した液晶装置を備えた電子機器（反射型の液晶プロジェクター）の構成を示す模式図である。以下、電子機器の構成について、図９を参照しながら説明する。
【００７６】
図９に示すように、本実施形態の液晶プロジェクター１５００は、システム光軸Ｌに沿って配置された偏光照明装置１１００と、３つのダイクロイックミラー１１１１，１１１２，１１１５と、２つの反射ミラー１１１３，１１１４と、３つの光変調素子としての反射型の液晶ライトバルブ１２５０，１２６０，１２７０と、クロスダイクロイックプリズム１２０６と、投射レンズ１２０７とを備えている。
【００７７】
偏光照明装置１１００は、ハロゲンランプなどの白色光源からなる光源としてのランプユニット１１０１と、インテグレーターレンズ１１０２と、偏光変換素子１１０３とから概略構成されている。
【００７８】
偏光照明装置１１００から射出された偏光光束は、互いに直交して配置されたダイクロイックミラー１１１１とダイクロイックミラー１１１２とに入射する。光分離素子としてのダイクロイックミラー１１１１は、入射した偏光光束のうち赤色光（Ｒ）を反射する。もう一方の光分離素子としてのダイクロイックミラー１１１２は、入射した偏光光束のうち緑色光（Ｇ）と青色光（Ｂ）とを反射する。
【００７９】
反射した赤色光（Ｒ）は反射ミラー１１１３により再び反射され、液晶ライトバルブ１２５０に入射する。一方、反射した緑色光（Ｇ）と青色光（Ｂ）とは反射ミラー１１１４により再び反射して光分離素子としてのダイクロイックミラー１１１５に入射する。ダイクロイックミラー１１１５は緑色光（Ｇ）を反射し、青色光（Ｂ）を透過する。反射した緑色光（Ｇ）は液晶ライトバルブ１２６０に入射する。透過した青色光（Ｂ）は液晶ライトバルブ１２７０に入射する。
【００８０】
液晶ライトバルブ１２５０は、反射型の液晶パネル１２５１と、光学補償板５５と、反射型偏光素子としてのワイヤーグリッド偏光板１２５３とを備えている。
【００８１】
液晶ライトバルブ１２５０は、ワイヤーグリッド偏光板１２５３によって反射した赤色光（Ｒ）がクロスダイクロイックプリズム１２０６の入射面に垂直に入射するように配置されている。また、ワイヤーグリッド偏光板１２５３の偏光度を補う補助偏光板１２５４が液晶ライトバルブ１２５０における赤色光（Ｒ）の入射側に配置され、もう１つの補助偏光板１２５５が赤色光（Ｒ）の射出側においてクロスダイクロイックプリズム１２０６の入射面に沿って配置されている。なお、反射型偏光素子として偏光ビームスプリッターを用いた場合には、一対の補助偏光板１２５４，１２５５を省略することも可能である。
【００８２】
このような反射型の液晶ライトバルブ１２５０の構成と各構成の配置は、他の反射型の液晶ライトバルブ１２６０，１２７０においても同じである。
【００８３】
液晶ライトバルブ１２５０，１２６０，１２７０に入射した各色光は、画像情報に基づいて変調され、再びワイヤーグリッド偏光板１２５３，１２６３，１２７３を経由してクロスダイクロイックプリズム１２０６に入射する。クロスダイクロイックプリズム１２０６では、各色光が合成され、合成された光は投射レンズ１２０７によってスクリーン１３００上に投射され、画像が拡大されて表示される。
【００８４】
本実施形態では、液晶ライトバルブ１２５０，１２６０，１２７０における反射型の液晶パネル１２５１，１２６１，１２７１として上記実施形態における液晶装置１が適用されている。
【００８５】
このような液晶プロジェクター１５００によれば、反射型の液晶装置１を液晶ライトバルブ１２５０，１２６０，１２７０に用いているので、光学特性としての位相差補償を行うことが可能となり、高い表示品質を有する反射型の液晶プロジェクター１５００を提供できる。
【００８６】
なお、液晶装置１が搭載される電子機器としては、液晶プロジェクター１５００の他、ヘッドアップディスプレイ（ＨＵＤ）、ヘッドマウントディスプレイ（ＨＭＤ）、スマートフォン、ＥＶＦ（Electrical View Finder）、モバイルミニプロジェクター、電子ブック、携帯電話、モバイルコンピューター、デジタルカメラ、デジタルビデオカメラ、ディスプレイ、液晶テレビ、車載機器、オーディオ機器、露光装置や照明機器など各種電子機器に用いることができる。
【００８７】
以上詳述したように、本実施形態の液晶装置１、及び電子機器によれば、以下に示す効果が得られる。
【００８８】
（１）本実施形態の液晶装置１によれば、位置調整部材６３０を調整することにより、液晶パネル１００に対して光学補償板２００の位置を動かすことが可能となるので、例えば、フレーム６００の組立時やフレーム６００に生じた応力によって、液晶パネル１００に対する光学補償板２００の位置がずれた場合でも、光学補償板２００の位置を正規の位置に変えることができる。これにより、液晶パネル１００を通る光の位相（面内位相差）を調整することができ、その結果、画像のコントラストを向上させることができる。また、液晶パネル１００側を動かす場合と比較して、光学補償板２００側を動かす方が位相差などを調整しやすい。
【００８９】
（２）本実施形態の液晶装置１によれば、位置調整部材６３０としてプランジャーを用いるので、比較的簡単な構造で、液晶パネル１００に対する光学補償板２００の位置をずらすことができる。
【００９０】
（３）本実施形態の液晶装置１によれば、液晶パネル１００に対して光学補償板２００の位置をずらすことが可能となるので、特に光の入射及び反射の両方が行われる反射型の液晶装置１の表示品質を顕著に向上させることができる。
【００９１】
（４）本実施形態の電子機器によれば、上記液晶装置１を備えているので、高コントラストの表示が可能な電子機器を提供することができる。
【００９２】
なお、本発明の態様は、上記した実施形態に限られるものではなく、請求の範囲及び明細書全体から読み取れる発明の要旨あるいは思想に反しない範囲で適宜変更可能であり、本発明の態様の技術範囲に含まれるものである。また、以下のような形態で実施することもできる。
【００９３】
（変形例１）
上記したように、位置調整部材６３０を用いて、光学補償板２００を液晶パネル１００の表面に対して水平方向に移動させることに限定されず、例えば、第２フレーム６２０の他の場所に位置調整部材６３０を配置して、液晶パネル１００の表面に対して交差する方向に光学補償板２００を動かすようにしてもよい。言い換えれば、図６におけるＺ方向にプランジャーを配置するようにしてもよい。
【００９４】
（変形例２）
上記したように、位置調整部材６３０としてプランジャーを用いることに代えて、圧電素子を用いるようにしてもよい。圧電素子を用いることにより、印加する電圧に応じて光学補償板２００の位置をずらすことができる。また、変形例１で説明したように、第２フレーム６２０のＺ方向に圧電素子を配置するようにしてもよい。
【００９５】
（変形例３）
上記したように、電気光学装置として反射型の液晶装置１を適用することに限定されず、例えば、透過型の液晶装置、有機ＥＬ装置、プラズマディスプレイ、電子ペーパー（ＥＰＤ）等に適用するようにしてもよい。
【符号の説明】
【００９６】
１…電気光学装置としての液晶装置、３ａ…走査線、６ａ…データ線、９ａ…画素電極、１０…素子基板、１０ａ…画像表示領域、１６，２２…配向膜、２０…対向基板、２１…対向電極、３０…ＴＦＴ、５０…液晶層、５２…シール材、５３…額縁遮光膜、７０…蓄積容量、１００…電気光学パネルとしての液晶パネル、１０１…データ線駆動回路、１０２…外部回路接続端子、１０４…走査線駆動回路、１０５…配線、１０６…上下導通端子、２００…光学補償板、２１０…ガイドプレート、２１１…トラック孔、２２２…ネジ、３００…容量線、３１０…ピン状部材、５００…フレキシブル基板、６００…フレーム、６１０…第１フレーム、６１１…開口部、６１２，６２３…ピン孔、６２０…保持部材としての第２フレーム、６２１…開口孔、６２２…ガイド部、６３０…光学補償板位置調整部材としての位置調整部材、６３０ａ…容器、６３０ｂ…バネ、６３０ｃ…ボール、６３０ｄ…ネジ、１１００…偏光照明装置、１１０１…ランプユニット、１１０２…インテグレーターレンズ、１１０３…偏光変換素子、１１１１，１１１２，１１１５…ダイクロイックミラー、１１１３，１１１４…反射ミラー、１２０６…クロスダイクロイックプリズム、１２０７…投射レンズ、１２５０，１２６０，１２７０…液晶ライトバルブ、１２５１，１２６１，１２７１…液晶パネル、１２５３，１２６３，１２７３…ワイヤーグリッド偏光板、１２５４，１２５５…補助偏光板、１２６０ａ…緑色光用画像形成光学系、１２６３…ワイヤーグリッド偏光板、１２６４…補助偏光板、１２６５…補助偏光板、１３００…スクリーン、１４００…筐体、１４００ａ…第１側面、１４００ａｔ…開口部、１４００ｂ…第２側面、１４００ｂｔ…開口部、１４００ｃ…第３側面、１４００ｃｔ…開口部、１４１０…インテグレーター光学系、１５００…液晶プロジェクター。
【図１】
2015200689.tif 000003
【図２】
2015200689.tif 000004
【図３】
2015200689.tif 000005
【図４】
2015200689.tif 000006
【図５】
2015200689.tif 000007
【図６】
2015200689.tif 000008
【図７】
2015200689.tif 000009
【図８】
2015200689.tif 000010
【図９】
2015200689.tif 000011